(57)【要約】【課題】陳列室内で加熱しながら陳列されている商品を取り出す際の作業性と安全性を改善したショーケースを提供する。【解決手段】ショーケース１は、陳列室２内にて商品を加熱しながら陳列する。陳列室内に架設され、電気ヒータ１１が設けられたホット棚９と、陳列室の後面開口を開閉自在に閉塞するガラス扉と、ホット棚上に前後方向移動自在に設けられ、ガラス扉を開放した状態の陳列室の後面開口から引出可能とされたスライド棚３３を備える。スライド棚は、前部以外の部分が陳列室の後面開口から引き出された状態で、前部がホット棚に保持される。【選択図】図１
2019076185.tif 000002
【特許請求の範囲】
【請求項１】
陳列室内にて商品を加熱しながら陳列するショーケースにおいて、
前記陳列室内に架設され、ヒータが設けられたホット棚と、
前記陳列室の後面開口を開閉自在に閉塞する扉と、
前記ホット棚上に前後方向移動自在に設けられ、前記扉を開放した状態の前記陳列室の後面開口から引出可能とされたスライド棚を備え、
該スライド棚は、前部以外の部分が前記陳列室の後面開口から引き出された状態で、前部が前記ホット棚に保持されることを特徴とするショーケース。
【請求項２】
前記ホット棚は、前記ヒータが設けられた棚本体と、該棚本体に着脱自在に取り付けられたレール部材を有し、
前記スライド棚は、前記レール部材に前後方向移動自在に係合されると共に、前部以外の部分が前記陳列室の後面開口から引き出された状態で、前部が前記レール部材に係脱可能に保持されることを特徴とする請求項１に記載のショーケース。
【請求項３】
前記陳列室内に設けられ、当該陳列室内を照明するＬＥＤ照明を備えたことを特徴とする請求項１又は請求項２に記載のショーケース。
【請求項４】
前記ＬＥＤ照明はシェードにて覆われ、前記ＬＥＤ照明が位置する前記シェード内の空間は前記陳列室内の他の空間から区画されると共に、
前記ＬＥＤ照明は、外部に面する金属部材と熱伝導関係に配置されていることを特徴とする請求項３に記載のショーケース。
【請求項５】
前記金属部材は内部に空間を有しており、当該金属部材内の空間と、前記シェード内の空間は上下で連通されていることを特徴とする請求項４に記載のショーケース。
【発明の詳細な説明】
【技術分野】
【０００１】
本発明は、陳列室内にて商品を加熱しながら陳列販売するためのショーケースに関するものである。
【背景技術】
【０００２】
従来よりコンビニエンスストア等の店舗には、レジ等が設置されたサービステーブルが設けられており、このサービステーブルには更に卓上のショーケースも設置され、調理済み食品等の商品を加熱しながら陳列し、販売促進を行うようにされている。
【０００３】
このような商品を加熱しながら陳列するショーケース（所謂ホットショーケース）は、内部に陳列室を有する本体の前後面及び両側面が透明なガラス壁にて構成されており、陳列室内には鋼板製のプレートにて構成されたホット棚が複数段架設され、これらホット棚をヒータ（ランプヒータやパネルヒータ）にて加熱することにより、ホット棚上に陳列された商品を加熱するように構成されている（例えば、特許文献１参照）。
【０００４】
また、特許文献１では前面に設けられているが、通常は陳列室の後面開口に扉が設けられ、この扉を開けて商品をホット棚上に陳列すると共に、販売時には後面開口から店員がトング等で商品を取り出す構成とされていた。
【先行技術文献】
【特許文献】
【０００５】
【特許文献１】実開昭６２−１６４８６７号公報
【発明の概要】
【発明が解決しようとする課題】
【０００６】
しかしながら、陳列室のホット棚上の商品を取り出す際、後面開口からホット棚上前部まで手を差し入れなければならず、作業性が悪く、高温となっているホット棚に店員が手指が触れて火傷を負う等の危険性もあった。
【０００７】
本発明は、係る従来の技術的課題を解決するために成されたものであり、陳列室内で加熱しながら陳列されている商品を取り出す際の作業性と安全性を改善したショーケースを提供することを目的とする。
【課題を解決するための手段】
【０００８】
本発明のショーケースは、陳列室内にて商品を加熱しながら陳列するものであって、陳列室内に架設され、ヒータが設けられたホット棚と、陳列室の後面開口を開閉自在に閉塞する扉と、ホット棚上に前後方向移動自在に設けられ、扉を開放した状態の陳列室の後面開口から引出可能とされたスライド棚を備え、このスライド棚は、前部以外の部分が陳列室の後面開口から引き出された状態で、前部がホット棚に保持されることを特徴とする。
【０００９】
請求項２の発明のショーケースは、上記発明においてホット棚は、ヒータが設けられた棚本体と、この棚本体に着脱自在に取り付けられたレール部材を有し、スライド棚は、レール部材に前後方向移動自在に係合されると共に、前部以外の部分が陳列室の後面開口から引き出された状態で、前部がレール部材に係脱可能に保持されることを特徴とする。
【００１０】
請求項３の発明のショーケースは、上記各発明において陳列室内に設けられ、当該陳列室内を照明するＬＥＤ照明を備えたことを特徴とする。
【００１１】
請求項４の発明のショーケースは、上記発明においてＬＥＤ照明はシェードにて覆われ、ＬＥＤ照明が位置するシェード内の空間は陳列室内の他の空間から区画されると共に、ＬＥＤ照明は、外部に面する金属部材と熱伝導関係に配置されていることを特徴とする。
【００１２】
請求項５の発明のショーケースは、上記発明において金属部材は内部に空間を有しており、当該金属部材内の空間と、シェード内の空間は上下で連通されていることを特徴とする。
【発明の効果】
【００１３】
本発明によれば、陳列室内にて商品を加熱しながら陳列するショーケースにおいて、陳列室内に架設され、ヒータが設けられたホット棚と、陳列室の後面開口を開閉自在に閉塞する扉と、ホット棚上に前後方向移動自在に設けられ、扉を開放した状態の陳列室の後面開口から引出可能とされたスライド棚を備え、このスライド棚は、前部以外の部分が陳列室の後面開口から引き出された状態で、前部がホット棚に保持されるようにしたので、スライド棚上に商品を陳列してホット棚上に設けることにより、商品の補充や商品を取り出す際には、扉を開けてスライド棚を陳列室の後面開口から引き出した状態で行うことができるようになる。
【００１４】
このときスライド棚は、陳列室の後面開口から引き出された状態で、その前部がホット棚に保持されるようにしているので、商品の補充や取り出しを陳列室外で容易に行うことができるようになる。また、陳列室内に手指を差し入れる必要も無くなるので、火傷を負う危険性も著しく低下し、安全性の高いものとなる。
【００１５】
特に、請求項２の発明の如くホット棚を、ヒータが設けられた棚本体と、この棚本体に着脱自在に取り付けられたレール部材から構成し、スライド棚を、レール部材に前後方向移動自在に係合させると共に、前部以外の部分が陳列室の後面開口から引き出された状態で、前部がレール部材に係脱可能に保持されるようにすれば、スライド棚やレール部材が汚れた際には、それらを陳列室内から容易に取り外し、洗浄することができるようになる。
【００１６】
また、請求項３の発明の如く陳列室内にＬＥＤ照明を設けて照明するようにすれば、陳列室内を照明のための電力消費を著しく削減することができるようになる。
【００１７】
この場合、請求項４の発明の如くＬＥＤ照明をシェードにて覆い、ＬＥＤ照明が位置するシェード内の空間を陳列室内の他の空間から区画することにより、スライド棚上の商品を加熱するために高温となる陳列室内と、ＬＥＤ照明が位置するシェード内の空間とを区画し、ＬＥＤ照明のＬＥＤ発光素子の温度上昇を抑制して長寿命化を図ることができるようになる。
【００１８】
また、ＬＥＤ照明を、外部に面する金属部材と熱伝導関係に配置することで、ＬＥＤ照明のＬＥＤ発光素子が点灯時に発する熱量を、金属部材を介して外気中に放出することができるようになる。これにより、ＬＥＤ照明のＬＥＤ発光素子の放熱を効果的に行って温度を低下させ、更なる長寿命化を図ることができるようになる。
【００１９】
更に、請求項５の発明の如く金属部材は内部に空間を有する構造とし、当該金属部材内の空間と、シェード内の空間を上下で連通させることで、外部に面して温度が低くなる金属部材内の空気を、シェード内の空間に自然対流させ、ＬＥＤ照明のＬＥＤ発光素子の更なる温度低下を図ることができるようになる。
【図面の簡単な説明】
【００２０】
【図１】本発明を適用した一実施例のショーケースの側面図である。
【図２】図１のショーケースの正面図である。
【図３】図１のショーケースの背面図である。
【図４】右側の側面ガラスを取り外した状態の図１のショーケースの側面図である。
【図５】図１のショーケースの縦断側面図である。
【図６】図１のショーケースのホット棚とスライド棚の斜視図である。
【図７】図６のホット棚の側面図である。
【図８】図６のスライド棚の斜視図である。
【図９】図６のホット棚の側部における縦断側面図である。
【図１０】図６のホット棚の中央部における縦断側面図である。
【図１１】図６のホット棚とスライド棚の係合関係を説明する縦断正面図である。
【図１２】図６のホット棚からスライド棚を引き出した状態の側面図である。
【図１３】図１２のホット棚にスライド棚の前部を保持させた状態の側面図である。
【図１４】図６のホット棚とスライド棚の平面図である。
【図１５】図１４からスライド棚を取り外した状態のホット棚の平面図である。
【図１６】図１５からレール押さえ部材を取り外した状態のホット棚の平面図である。
【図１７】図１のショーケースのＬＥＤ照明部分の側面図である。
【図１８】図１７のショーケースのＬＥＤ照明部分を正面から見た図である。
【図１９】図１７のショーケースのＬＥＤ照明部分を背面から見た図である。
【図２０】図１７のショーケースのＬＥＤ照明部分の平断面図である。
【発明を実施するための形態】
【００２１】
以下、本発明の実施の形態について、図面に基づき詳細に説明する。本発明を適用した実施例のショーケース１は、コンビニエンスストア等の店舗のサービステーブル上に設置される卓上型ホットショーケースであり、内部に構成された陳列室２内で揚げ物等の調理済み食品（商品）を加熱しながら陳列販売するものである。
【００２２】
ショーケース１は、天壁と底壁を有した鋼板製フレーム構成の本体３と、この本体３の左右両側に取り付けられた側面ガラス４と、前面に取り付けられた前面ガラス６と、前記陳列室２の後面開口を開閉自在に閉塞する後面の引き戸式ガラス扉７（二枚の扉）を有し、それらで囲まれた本体３内の空間が前記陳列室２とされている。尚、８は本体３の天壁上に設けられた電装箱である。
【００２３】
陳列室２内には、複数段のホット棚９が架設されている。この場合、ホット棚９は鋼板製（ステンレス）の棚本体１４と、この棚本体１４の左右に取り付けられた何れも鋼板製（ステンレス）の左レール部材１６及び右レール部材１７と、棚本体１４の中央部に取り付けられた鋼板製（ステンレス）の中央レール部材１８と、後部に設けられるレール押さえ部材１９を備えている。
【００２４】
棚本体１４の内部には陳列室２内に陳列する商品を加熱するためのヒータとしての電気ヒータ１１が設けられ、左右両側にはブラケット１２が設けられている。そして、このブラケット１２の後端を本体３の後部に設けられた支柱１３に係合させることで、ホット棚９の棚本体１４は陳列室３内に固定される。
【００２５】
棚本体１４の中央部の上面前端には、後方に開口した断面コ字状の前部係合部２１が形成され、棚本体１４の上面後部には、立ち上がった後、後方に延在する後部係合部２２が取り付けられている（図１０）。また、左右のブラケット１２には外方に突出した係合突起２３が前後に２箇所ずつそれぞれ形成されている（図７）。
【００２６】
また、左右レール部材１６、１７は対象形状を呈しており、鋼板（ステンレス）の折曲により形成された外壁２４と上壁２６と内壁２７をそれぞれ有している。更に外壁２４には下縁から立ち上がった後、後方に向かう連続した係合溝２８が前後に２箇所形成されている（図７）。更に、中央レール部材１８は左右の縦壁２９と上壁３１から成る断面略門型を呈しており、上壁３１後部の下面には、係合片３２が取り付けられ、上壁３１に取り付けられた箇所から少許下側に向かった後、連続して前方に延在している（図１０）。尚、図１はこれら各レール部材１６〜１８を削除して示している。
【００２７】
そして、このような左右レール部材１６、１７及び中央レール部材１８を棚本体１４に取り付ける際には、先ず、レール押さえ部材１９を設けない状態で、左右レール部材１６、１７を棚本体１４の左右両側に配置し、各係合溝２８の下縁から当該係合溝２８内にブラケット１２の各係合突起２３を進入させ、その後、左右レール部材１６、１７を前方に移動させて係合突起２３を係合溝２８内の奥部に着脱自在に係合する（図７）。
【００２８】
また、中央レール部材１８は、後部係合部２２に被せるかたちで棚本体１４上の中央部に配置し、そのまま前方に移動させて前端部を棚本体１４の前部係合部２１内側に差し込んで着脱自在に係合させ、同時に係合片３２を後部係合部２２に着脱自在に係合させる（図１０）。このように左右レール部材１６、１７と中央レール部材１８を棚本体１４に着脱自在に取り付けた後、それらの後側におけるブラケット１２内側の棚本体１４上にレール押さえ部材１９を着脱自在に設ける。これにより、左右レール部材１６、１７及び中央レール部材１８はレール押さえ部材１９に邪魔されて後方に移動できなくなり、棚本体１４との係合が解除できなくなるので、各レール部材１６〜１８は安定的、且つ、着脱自在に棚本体１４に取り付けられる。
【００２９】
このように構成されたホット棚９上には、実施例では左右二枚のスライド棚３３が前後方向移動自在に設けられる。このスライド棚３３も鋼板（ステンレス）から構成され、矩形トレイ状を呈しており、後端には把手部３４が形成されている。また、前部の左右両側には係止金具３６が取り付けられている。この係止金具３６はスライド棚３３の下縁から外方に少許張り出した後、上方に屈曲された形状を呈しており、前後に所定寸法を有している。
【００３０】
また、各スライド棚３３はホット棚９の左レール部材１６と中央レール部材１８、或いは、右レール部材１７と中央レール部材１８間に配置可能で、且つ、片方のガラス扉７を開放した状態で、陳列室６の後面開口から引出可能な寸法をとされている。
【００３１】
このようなスライド棚３３をホット棚９上に配置する際には、スライド棚３３上に食品を載置し、左右何れかのガラス扉７を開放して、開放した方に配置するスライド棚３３を後面開口から陳列室６内に差し入れる（尚、以後の説明では右側に配置するスライド棚３３について説明する）。このとき、図１２に示す如くホット棚９とスライド棚３３が略平行となるように差し入れ、図１１に示す如く前部右側の係止金具３６を右レール部材１７の内壁２７と棚本体１４のブラケット１２間に前後方向移動自在に係合させ、前部左側の係止金具３６を中央レール部材１８の縦壁２９の内側に前後方向移動自在に係合させる（尚、図１２では説明のため係止金具３６を実線で示す）。
【００３２】
左側に配置するスライド棚３３も同様である（但し、左レール部材１６と中央レール部材１８に各係止金具３６を係合させる）。これにより、スライド棚３３はホット棚９の棚本体１４及びレール押さえ部材１９上で前後方向移動自在に設けられ（図６中に矢印で示す）、食品は陳列室２内に陳列され、電気ヒータ１１により加熱されることになる。
【００３３】
また、陳列室２内から食品を取り出し、或いは、補充する際には、例えば右側のガラス扉７を開放し、スライド棚３３の把手部３４を持って当該スライド棚３３を後面開口から後方（手前）に引き出す。そして、スライド棚３３の前部（係止金具３６がある部分）以外の部分が陳列室２の後面開口から引き出された状態で手を離すと、図１３の如く係止金具３６の前端上部が各レール部材１６〜１８の上壁２６、３１の下面に当たり、係止金具３６の後端下部が棚本体１４に当たった状態で、スライド棚３３はホット棚９の各レール部材１６〜１８に図１３の如く傾斜したかたち（後部が低い）で係脱可能に保持される。
【００３４】
これにより、取り出すべき食品は陳列室２外に出てくると共に、補充すべき食品も陳列室２外でスライド棚３３上に補充できるので、容易且つ安全に食品の取り出しと補充を行えるようになる。
【００３５】
次に、これらスライド棚３３、各レール部材１６〜１８が汚れて洗浄する必要が生じた場合には、先ず、図１４の状態からスライド棚３３を前述と逆にホット棚９と平行として陳列室２内から取り出す（図１５）。次に、レール押さえ部材１９をホット棚９から取り外し、陳列室２外に取り出す（図１６）。最後に前述とは逆に各レール部材１６〜１８を後方に移動させる。これにより、左右レール部材１６、１７の係合溝２８内を係合突起２３が前方に移動することになるので、そのまま引き上げれば両者の係合は解除され、左右レール部材１６、１７は陳列室２外に取り出すことができる。また、中央レール部材１８も前部係合部２１と後部係合部２２との係合が解除されるので、陳列室２外に取り出すことができる。そして、取り出した各レール部材１６〜１８及びレール押さえ部材１９は、食洗機などで洗浄する。
【００３６】
また、陳列室２内の前部両側には、図１７〜図１９に示すように陳列室２内を照明するためのＬＥＤ照明３８が上下に渡って取り付けられている。この場合、ＬＥＤ照明３８はＬＥＤ発光素子３８Ａを有し、鋼板製（板金）の基板４１に取り付けられており（図２０）、更にこの基板４１に取り付けられる透光性のシェード４２で覆われている。このシェード４２により、ＬＥＤ照明３８が位置するシェード４２内の空間Ｘは、当該空間Ｘ以外の陳列室２内の空間から区画される。尚、図２０は向かって右側のＬＥＤ照明３８の上部を上から見た平断面であり、図中下側がショーケース１の前方となる。
【００３７】
更に、基板４１は本体３の左右両側前端に位置してその一部を構成する鋼板製の前縁部材４３と熱伝導関係に面接触されて取り付けられている。尚、前縁部材４３は外部（陳列室２外）に面している。図５では前面ガラス６を省略して示しているが、前縁部材４３の内側面（図２０中の左側面）には前面ガラス６が接して取り付けられ、前縁部材４３は図１に示すようにこの前面ガラス６よりも前方に張り出して外部に面している。更に、基板４１と前縁部材４３の外側面（図２０中では右側面）は側面ガラス４に接している。また、４４は前縁部材４３及び側面ガラス４の前部に渡って取り付けられた金属製の飾り部材であり、内側（図２０中では左側）が前縁部材４３と熱伝導関係で面接触し、且つ、外部に面していると共に、これら前縁部材４３と飾り部材４４により、内部に密閉された空間Ｙを有する金属部材４６が構成される。尚、図１７、図１８では飾り部材４４は取り外している。また、実施例では前縁部材４３の外側と飾り部材４４の外側（図２０中では右側）の間に側面ガラス４の前部を介在させているが、それに限らず、外側も前縁部材４３と飾り部材４４が面接触する構造としてもよい。
【００３８】
ここで、前縁部材４３の上下には、図１８に示す如く透孔４７が複数（実施例では３箇所ずつ）形成されており、また、これら透孔４７に対応する位置の基板４１にも切欠部４８が形成されている（図２０）。これにより、ＬＥＤ照明３８が存在するシェード４２内の空間Ｘと、金属部材４６内の空間Ｙとは上下で連通される。
【００３９】
ＬＥＤ照明３８のＬＥＤ発光素子３８Ａは点灯すると発熱する。この熱は鋼板製の基板４１を介してそれに面接触しているこれも鋼板製の前縁部材４３に伝導する。ここで、前縁部材４３や飾り部材４４から成る金属部材４６は外部に面しているので、その温度は陳列室２内やＬＥＤ発光素子３８Ａの温度よりも低くなる。従って、ＬＥＤ発光素子３８Ａの発する熱は基板４１を介し、金属部材４６（前縁部材４３や飾り部材４４）を介して外気に放散されるようになる。
【００４０】
また、外部に面している金属部材４６内の空間Ｙの温度も陳列室２内より低くなるので、空間Ｙ内の空気は下部の透孔４７及び切欠部４８を経てシェード４２内の空間Ｘ内に流入する。また、空間Ｘ内の空気は上部の透孔４７及び切欠部４８を経て金属部材４６内の空間Ｙに流入するという自然対流が生じる。これにより、シェード４２内の空気の温度は低くなり、ＬＥＤ照明３８のＬＥＤ発光素子３８Ａは冷却されることになる。
【００４１】
以上詳述した如く本発明のショーケース１は、陳列室２内にて商品を加熱しながら陳列するものであって、陳列室２内に架設され、電気ヒータ１１が設けられたホット棚９と、陳列室２の後面開口を開閉自在に閉塞するガラス扉７と、ホット棚９上に前後方向移動自在に設けられ、ガラス扉７を開放した状態の陳列室２の後面開口から引出可能とされたスライド棚３３を備えており、このスライド棚３３は、前部以外の部分が陳列室２の後面開口から引き出された状態で、前部がホット棚９に保持されるようにしたので、スライド棚３３上に商品を陳列してホット棚９上に設けることにより、商品の補充や商品を取り出す際には、ガラス扉７を開けてスライド棚３３を陳列室２の後面開口から引き出した状態で行うことができるようになる。
【００４２】
このときスライド棚３３は、陳列室２の後面開口から引き出された状態で、その前部がホット棚９に保持されるようにしているので、商品の補充や取り出しを陳列室２外で容易に行うことができるようになる。また、陳列室２内に手指を差し入れる必要も無くなるので、火傷を負う危険性も著しく低下し、安全性の高いものとなる。
【００４３】
特に、実施例ではホット棚９を、電気ヒータ１１が設けられた棚本体１４と、この棚本体１４に着脱自在に取り付けられた左右レール部材１６、１７、中央レール部材１８から構成し、スライド棚３３を、各レール部材１６〜１８に前後方向移動自在に係合させると共に、前部以外の部分が陳列室２の後面開口から引き出された状態で、前部が各レール部材１６〜１７に係脱可能に保持されるようにしているので、スライド棚３３や各レール部材１６〜１８が汚れた際には、それらを陳列室２内から容易に取り外し、洗浄することができるようになる。
【００４４】
また、実施例では陳列室２内にＬＥＤ照明３８を設けて照明するようにしているので、陳列室２内を照明のための電力消費を著しく削減することができるようになる。この場合、実施例ではＬＥＤ照明３８をシェード４２にて覆い、ＬＥＤ照明３８が位置するシェード４２内の空間Ｘを陳列室２内の他の空間から区画することにより、スライド棚３３上の商品を加熱するために高温となる陳列室２内と、ＬＥＤ照明３８が位置するシェード４２内の空間Ｘとを区画し、ＬＥＤ照明３８の温度上昇を抑制して長寿命化を図ることができるようになる。
【００４５】
また、ＬＥＤ照明３８を、外部に面する金属部材４６（前縁部材４３）と熱伝導関係に配置しているので、ＬＥＤ照明３８のＬＥＤ発光素子３８Ａが点灯時に発する熱量を、金属部材４６を介して外気中に放出することができるようになる。これにより、ＬＥＤ発光素子３８Ａの放熱を効果的に行って温度を低下させ、更なる長寿命化を図ることができるようになる。
【００４６】
更に、実施例では金属部材４６は内部に空間Ｙを有する構造とし、この金属部材４６内の空間Ｙと、シェード４２内の空間Ｘを上下で連通させているので、外部に面して温度が低くなる金属部材４６内の空気を、シェード４２内の空間に自然対流させ、ＬＥＤ照明３８のＬＥＤ発光素子３８の更なる温度低下を図ることができるようになる。
【００４７】
尚、実施例で示した構成は、それに限定されるものでは無く、本発明の趣旨を逸脱しない範囲で種々変更可能である。
【符号の説明】
【００４８】
１  ショーケース
２  陳列室
３  本体
４  側面ガラス
６  前面ガラス
７  ガラス扉
９  ホット棚
１１  電気ヒータ（ヒータ）
１４  棚本体
１６  左レール部材
１７  右レール部材
１８  中央レール部材
１９  レール押さえ部材
２１  前部係合部
２２  後部係合部
２３  係合突起
２８  係合溝
３２  係合片
３３  スライド棚
３６  係止金具
３８  ＬＥＤ照明
３８Ａ  ＬＥＤ発光素子
４１  基板
４２  シェード
４３  前縁部材
４４  飾り部材
４６  金属部材
４７  透孔
４８  切欠部
【図１】
2019076185.tif 000003
【図２】
2019076185.tif 000004
【図３】
2019076185.tif 000005
【図４】
2019076185.tif 000006
【図５】
2019076185.tif 000007
【図６】
2019076185.tif 000008
【図７】
2019076185.tif 000009
【図８】
2019076185.tif 000010
【図９】
2019076185.tif 000011
【図１０】
2019076185.tif 000012
【図１１】
2019076185.tif 000013
【図１２】
2019076185.tif 000014
【図１３】
2019076185.tif 000015
【図１４】
2019076185.tif 000016
【図１５】
2019076185.tif 000017
【図１６】
2019076185.tif 000018
【図１７】
2019076185.tif 000019
【図１８】
2019076185.tif 000020
【図１９】
2019076185.tif 000021
【図２０】
2019076185.tif 000022